(57)【要約】【課題】　アンテナの改良によって、ＡＭラジオにおける電気的干渉を低減する。【解決手段】　フェライト・バー・ループ・アンテナを有するＡＭ無線アンテナ回路は、平衡アンテナ回路を形成する共振構造と、制御可能な容量を前記巻線構造に与えるバラクタ・ダイオード同調構造と、バラクタに結合された巻線構造を含み、同調信号をバラクタに伝達するように構成され配置されたＤＣ経路と、アンテナ回路を外部の検波集積回路に接続する手段とを備えている。【選択図】　図１
2004120768.tif 000002
【特許請求の範囲】
【請求項１】
　同調可能ＡＭラジオ・アンテナにおいて、
　フェライト・バー・ループ・アンテナであって、平衡アンテナ回路を形成する共振構造を有するフェライト・バーを備え、前記共振構造が第１巻線構造を有する、フェライト・バー・ループ・アンテナと、
　アンテナ同調構造であって、前記巻線構造に対して制御可能なキャパシタンスを与えるバラクタ・ダイオード同調構造と、前記バラクタ・ダイオードに結合された前記巻線構造を含み、前記バラクタ・ダイオードに同調信号を伝達するように構成配置された、ＤＣ経路とを備え、前記巻線構造が２つの端部を有し、前記ＤＣ経路を通じて前記同調信号を搬送するように中間タップを構成配置した、バラクタ・ダイオード同調構造と、
　前記同調可能アンテナを外部検波回路の入力に接続する手段と、
を備えた同調可能ＡＭラジオ・アンテナ。
【請求項２】
　請求項１記載の同調可能ＡＭラジオ・アンテナにおいて、前記中間タップを無線周波数における基準電位に維持した、同調可能ＡＭラジオ・アンテナ。
【請求項３】
　請求項２記載の同調可能ＡＭラジオ・アンテナにおいて、前記基準電位が回路のＲＦ接地である、同調可能ＡＭラジオ・アンテナ。
【請求項４】
　請求項１記載の同調可能ＡＭラジオ・アンテナにおいて、干渉を考慮して、前記中間タップが前記巻線構造上で接続する位置を、前記巻線の中央から偏移させた、同調可能ＡＭラジオ・アンテナ。
【請求項５】
　請求項１記載の同調可能ＡＭラジオ・アンテナにおいて、前記接続手段が、更に、前記巻線上に第２中間タップを有する構造を含み、該第２中間タップを前記外部検波回路の入力に接続した、同調可能ＡＭラジオ・アンテナ。
【請求項６】
　請求項５記載の同調可能ＡＭラジオ・アンテナにおいて、前記第２タップが前記巻線上で接続する位置を、前記巻線のコイル・インピーダンスが前記外部検波回路のインピーダンス要件と一致するように選択した、同調可能ＡＭラジオ・アンテナ。
【請求項７】
　請求項１記載の同調可能ＡＭラジオ・アンテナにおいて、前記巻線構造の第１端部を前記バラクタ・ダイオードに直接結合し、前記巻線構造の第２端部を、コンデンサを介して、前記バラクタ・ダイオードに結合した、同調可能ＡＭラジオ・アンテナ。
【請求項８】
　請求項１記載の同調可能ＡＭラジオ・アンテナにおいて、前記接続手段が、更に、２つの端部を有する第２巻線を含み、該第２巻線の第１端部が、外部信号を受けるように構成され、前記第２巻線の第２端部が外部検波回路に接続されている、同調可能ＡＭラジオ・アンテナ。
【請求項９】
　請求項８記載の同調可能ＡＭラジオ・アンテナにおいて、前記外部信号がバイアス電圧である、同調可能ＡＭラジオ・アンテナ。
【請求項１０】
　請求項８記載の同調可能ＡＭラジオ・アンテナにおいて、前記中間タップを、無線周波数における基準電位に維持した、同調可能ＡＭラジオ・アンテナ。
【請求項１１】
　請求項１０記載の同調可能ＡＭラジオ・アンテナにおいて、前記基準電位が、回路のＲＦ接地である、同調可能ＡＭラジオ・アンテナ。
【請求項１２】
　請求項８記載の同調可能ＡＭラジオ・アンテナにおいて、干渉を考慮して、前記中間タップが前記巻線構造上で接続する位置を前記巻線の中央から偏移させた、同調可能ＡＭラジオ・アンテナ。
【請求項１３】
　請求項１０記載の同調可能ＡＭラジオ・アンテナにおいて、前記第１巻線構造の第１端部が前記バラクタ・ダイオードに直接結合されており、前記第１巻線構造の第２端部が、コンデンサを介して、前記バラクタ・ダイオードに結合されている、同調可能ＡＭラジオ・アンテナ。
【請求項１４】
　同調可能ＡＭラジオ・アンテナにおいて、
　フェライト・バー・ループ・アンテナであって、平衡アンテナ回路を形成する共振構造を有するフェライト・バーを備え、前記共振構造が第１巻線構造および第２巻線構造を有し、各巻線構造が内端および外端を有する、フェライト・バー・ループ・アンテナと、
　アンテナ同調構造であって、前記第１および第２巻線構造に対して制御可能なキャパシタンスを与えるバラクタ・ダイオード同調構造と、前記バラクタ・ダイオードに結合された前記第２巻線構造を含み、前記バラクタ・ダイオードに同調信号を伝達するように構成配された、ＤＣ経路とを備え、前記第１巻線の外端が、外部信号を受けるように構成され、前記第１巻線の内端が、外部検波回路に接続され、前記第２巻線の外端が、前記同調信号を受けるように構成配置されている、アンテナ同調構造と、
を備えた同調可能ＡＭラジオ・アンテナ。
【請求項１５】
　請求項１４記載の同調可能ＡＭラジオ・アンテナにおいて、前記第１巻線の前記外端および前記第２巻線の前記外端を、無線周波数における基準電位に維持した、同調可能ＡＭラジオ・アンテナ。
【請求項１６】
　請求項１５記載の同調可能ＡＭラジオ・アンテナにおいて、前記基準電位が、回路のＲＦ接地である、同調可能ＡＭラジオ・アンテナ。
【請求項１７】
　請求項１４記載の同調可能ＡＭラジオ・アンテナにおいて、前記第２巻線を前記バラクタ・ダイオードに直接結合し、前記第１巻線を、コンデンサを介して、前記バラクタ・ダイオードに結合した、同調可能ＡＭラジオ・アンテナ。
【請求項１８】
　請求項１４記載の同調可能アンテナ回路において、前記第２巻線の内端を更に導電構造に接続し、浮遊効果を最小限に抑えた、同調可能ＡＭラジオ・アンテナ。
【請求項１９】
　請求項１８記載の同調可能ＡＭラジオ・アンテナにおいて、前記導電構造が、トレース・ワイヤを有する印刷回路基板の銅内に形成された幾何学的構造である、同調可能ＡＭラジオ・アンテナ。
【請求項２０】
　請求項１８記載の同調可能ＡＭラジオ・アンテナにおいて、前記導電構造が、前記第１巻線の内端を前記ＲＦ検波回路の入力に電気的に結合する構造から、物理的に所定の距離以内に配置される、同調可能ＡＭラジオ・アンテナ。
【請求項２１】
　請求項１９記載の同調可能ＡＭラジオ・アンテナにおいて、前記トレース・ワイヤが、前記第２巻線の内端から、物理的に所定の距離以内に配置される、同調可能ＡＭラジオ・アンテナ。
【請求項２２】
　請求項２１記載の同調可能ＡＭラジオ・アンテナにおいて、前記所定の距離が、前記印刷回路基板上の最小トレース間隔である、同調可能ＡＭラジオ・アンテナ。
【発明の詳細な説明】
【技術分野】
【０００１】
　本発明は、一般的には無線アンテナのノイズ低減に関し、更に特定すれば、ＡＭアンテナによってＡＭ帯域における干渉ノイズを低減するための新規な装置および技術に関する。
【背景技術】
【０００２】
　トライアック調光器のような電子的電力制御装置の動作は、ＡＭ無線帯域において激しい干渉ノイズを発生する可能性がある。干渉ノイズは、アンテナに対する容量性結合、ＡＣ送電線を通じた導通、またはアンテナに対する磁気的結合というような機構のいずれかを通じてラジオに侵入する場合がある。家庭内の使用では、主要なモードはＡＣ送電線を通じて発生する。
【０００３】
　ＡＭラジオの典型的なアンテナは、フェライト・ロッド・ループＡＭアンテナのような、外部ループ型または内部ループ型である。外部ループ・アンテナは、引き込み撚り線対を用い、これを平衡入力に接続するのが通例である。内部フェライト・ロッド・ループ・アンテナは、通例では不平衡型であり、ループの一方側がＲＦ接地であり、他方側がバラクタ・ダイオードに接続されている。検波（ディテクタ：検出器）集積回路（ＩＣ）を駆動するには、不平衡ピックアップ・コイルを用いるのが通例である。
【発明の開示】
【発明が解決しようとする課題】
【０００４】
　本発明の重要な目的は、アンテナの改良によって、ＡＭラジオにおける電気的干渉を低減することにある。
【課題を解決するための手段】
【０００５】
　本発明によれば、端部が無線周波数増幅回路の入力に結合されている巻線構造と、この巻線構造に結合されているバラクタ同調ダイオード構造とを有するループ・アンテナを提供する。
【０００６】
　その他の特徴、目的、および利点は、以下の説明を添付図面と関連付けて読むことによって明白になるであろう。
【発明を実施するための最良の形態】
【０００７】
　図１を参照すると、中央接地フェライト・バー・ループ・アンテナを組み込んだ、本発明の一実施形態の概略図が示されている。この回路は、共振回路巻線１２およびピックアップ巻線１３を有するフェライト・バー１１を含む。共振回路巻線１２の一端は、バラクタ同調ダイオード１４に直接結合されており、巻線１２の他端は、低インピーダンスの結合（カップリング）コンデンサ１５を介して、バラクタ・ダイオード１４に結合されている。共振回路巻線１２の中間タップ１６は、低インピーダンスの結合コンデンサ１７を介して、基準電位に結合されている。基準電位は、明細書の以下の部分では接地と仮定するが、基準はいずれの所望の電位にでも設定可能であることを注記しておく。また、中間タップ１６は、抵抗１８を介して同調（チューニング）電圧を受け、バラクタ・ダイオード１４の有効容量を制御し、共振回路を所望のＡＭキャリア（搬送波）の周波数に同調させる。バラクタ・ダイオード１４と低インピーダンス・コンデンサ１５との接続部は、抵抗２１を介して接地に接続されている。代表的なパラメータ値を、図１例示する。低インピーダンスのバイパス・コンデンサ２２が、検波集積回路のバイアス電圧を受けるピックアップ巻線１３の端部を接地に結合する。ピックアップ巻線１３の他端は、検波集積回路の入力に接続されている。
【０００８】
　図１の実施形態は、共振回路巻線１２の中央付近にＲＦ接地を配置することによって、アンテナ回路の平衡を取っている。好ましくは、検波集積回路入力に取り付けられている導体の外部環境に対する不平衡ピックアップ・コイル１３および容量（キャパシタンス）の影響を考慮して、巻線１２の物理的中央から中間タップ１６を変位させる。中間タップ１６の位置は、巻線コイルの中央から偏移させる必要があるが、干渉の低減が最大となるように経験的に決定するとよい。この例では、中間タップ１６は、２２０マイクロヘンリーのインダクタンスを有する巻線１２において、コンデンサ側の端部から１６ターン、そしてバラクタ側端部から３１ターンの所に位置し、２４ターンおよび５５マイクロヘンリーのインダクタンスを有する巻線１３によって、線伝導干渉の除去において少なくとも２７ｄＢの改善が得られる。
【０００９】
　図１のコイル１３を取り除くことができる。この場合、コイル１２に沿った適切な中間点は、ＲＦ信号を引き出すことができる所に決める。この点の選択は、コイルのインピーダンスが、この中間タップに結合されている回路の入力インピーダンス要件と一致するように行う。入力インピーダンス要件は、検波ＩＣのＲＦ入力であるのが通例である。
【００１０】
　図２を参照すると、本発明の別の実施形態が示されている。これは、共振巻線を形成するコイル１２Ａおよび１２Ｂを備え、対向する端部を、それぞれ、コンデンサ１５Ａおよび１５Ｂを介してＲＦ接地に維持することによって、アンテナの平衡を取っている。いずれかの巻線が、検波集積回路に正しい駆動点インピーダンスを与えるので、ピックアップ・コイル１３は不要である。したがって、検波チップに対する入力は、この場合、コンデンサ２２Ａを介して同じＲＦ電位に維持されている巻線１２Ａおよび１２Ｂの接合点から直接取り込まれる。浮遊容量の悪影響は、印刷（プリント）回路基板（ＰＣＢ）の銅の中に形成された幾何学的構造のような、導電性構造を回路に追加することによって、低減することができる。図２に示すように、付加的なトレース・ワイヤ２３を巻線１２Ｂの高い側(ホットサイド)に追加し、検波ＩＣのＲＦ入力に接続されているリードに、その全長に沿って、実際に可能な限りできるだけ近づけて敷設する。リードと追加構造との間の最小間隔は、ＰＣＢを設計し製造する際に用いられるＰＣＢ設計規則によって決定される。規則を選択するには、コストおよび性能要件に基づいて行う。トレースの間隔が狭い程、浮遊効果の低減については、システム性能が向上するが、コストも高くなる。本発明では、トレースの間隔を０．００６インチとして実施した。
【００１１】
　このワイヤの端部に銅構造２３Ａを追加することによって、検波集積回路の入力に接続されている導線の容量によって生ずる悪影響を更に補償する。この実施形態の具体的な形態では、巻線１２Ａおよび１２Ｂの各々は、２４ターンを有する。
【００１２】
　以上、ＡＭラジオのアンテナ回路に侵入する望ましくないノイズを大幅に低減する新規な装置および技術について説明した。当業者であれば、本発明の概念から逸脱することなく、ここに開示されている具体的な装置および技術からの変更や発展も今や可能であることは明白である。したがって、本発明は、ここに開示された装置および技術の中に存在するか、またはこれらが保有するあらゆる新規な特徴、および新規な特徴の組み合わせも包含し、特許請求の範囲の主旨および範囲によってのみ限定されるものと解釈すべきである。
【図面の簡単な説明】
【００１３】
【図１】図１は、本発明による中央接地フェライト・バー・ループ・アンテナの概略回路図である。
【図２】図２は、本発明による終端接地フェライト・バー・ループ・アンテナの概略回路図である。
【符号の説明】
【００１４】
１１　　フェライト・バー
１２　　共振回路巻線
１３　　ピックアップ巻線
１４　　バラクタ同調ダイオード
１５　　結合コンデンサ
１６　　中間タップ
１８、２１　　抵抗
２２　　バイパス・コンデンサ
１２Ａ、１２Ｂ　　コイル
１５Ａ、１５Ｂ　　コンデンサ
２２Ａ　　コンデンサ
２３　　トレース・ワイヤ
２３Ａ　　銅構造
【図１】
2004120768.tif 000003
【図２】
2004120768.tif 000004